(57)【特許請求の範囲】
【請求項１】
斜辺部材と長辺部材と短辺部材と中間平行部材と中間傾斜部材とを有し、
前記斜辺部材、前記長辺部材および前記短辺部材は伸縮可能であり、前記斜辺部材を斜辺とし、前記長辺部材と前記短辺部材との成す角度が直角になるよう直角三角形状に組まれており、
前記中間平行部材は伸縮可能であり、前記斜辺部材の中央部と前記長辺部材の中央部とに架け渡されて、前記短辺部材と平行に設けられ、
前記中間傾斜部材は伸縮可能であり、前記中間平行部材と前記斜辺部材との接続部と、前記長辺部材と前記短辺部材との接続部とに架け渡されて設けられていることを、
特徴とする屋根用伸縮自在トラス。
【請求項２】
棟木と軒桁と母屋と垂木とから成る骨組みを有する屋根構造であって、前記棟木と前記軒桁と前記母屋と前記垂木のうち少なくとも１種は伸縮可能な骨材から成ることを、特徴とする屋根構造。
【請求項３】
棟木と軒桁と母屋と垂木とから成る骨組みを有する屋根構造であって、
請求項１記載の屋根用伸縮自在トラスを複数有し、前記骨組みは各屋根用伸縮自在トラスの組合せから成ることを、特徴とする屋根構造。
【発明の詳細な説明】
【技術分野】
【０００１】
本発明は、屋根用伸縮自在トラスおよび屋根用伸縮自在トラスを有する屋根構造に関する。
【背景技術】
【０００２】
従来の木造建築物では、屋根の施工工期の短縮を図ることにより建築費用を低減するため、種々の開発が試みられている。例えば、屋根を１対の屋根パネルから構成し、屋根を組み立てるのに小屋束、母屋、棟木、垂木及び野地板等をなくして、施工工期が短くなるようにしたものがある（特許文献１参照）。
【０００３】
【特許文献１】特開平１０−１９６０３５号公報
【発明の開示】
【発明が解決しようとする課題】
【０００４】
しかしながら、屋根を１対の屋根パネルから構成した場合、定型の屋根しか造ることができず、様々な寸法、形状の屋根を造ることができないという課題があった。
【０００５】
本発明は、このような従来の課題に着目してなされたもので、短い施工工期で、様々な寸法、形状の屋根を造ることを可能にする屋根用伸縮自在トラスおよび屋根構造を提供することを目的とする。
【課題を解決するための手段】
【０００６】
上記目的を達成するために、本発明に係る屋根用伸縮自在トラスは、斜辺部材と長辺部材と短辺部材と中間平行部材と中間傾斜部材とを有し、前記斜辺部材、前記長辺部材および前記短辺部材は伸縮可能であり、前記斜辺部材を斜辺とし、前記長辺部材と前記短辺部材との成す角度が直角になるよう直角三角形状に組まれており、前記中間平行部材は伸縮可能であり、前記斜辺部材の中央部と前記長辺部材の中央部とに架け渡されて、前記短辺部材と平行に設けられ、前記中間傾斜部材は伸縮可能であり、前記中間平行部材と前記斜辺部材との接続部と、前記長辺部材と前記短辺部材との接続部とに架け渡されて設けられていることを、特徴とする。
【０００７】
本発明に係る屋根用伸縮自在トラスは、屋根の骨組みとして好適に使用される。斜辺部材、長辺部材、短辺部材、中間平行部材および中間傾斜部材が伸縮可能であるため、各部材の長さや斜辺部材の傾斜を変えて、様々な寸法、形状の屋根を造ることが可能となる。また、各部材の伸縮は、現場で行うことができるので、作業性が向上し、施工工期を短くすることができる。
【０００８】
斜辺部材同士を隣接させるよう２つを組み合わせることにより、矩形状の骨組みにすることができる。このため、例えば、小屋裏に部屋空間を確保するように骨組みを組むことができる。
なお、各部材は、２本以上の径の異なるＣ型チャンネル部材または筒状部材を伸縮可能に組み合わせた構造から成ることが好ましい。各部材の材質は、金属製が好ましい。各部材は、ピンまたはその他の固定部材により、所望の長さで固定可能となっていることが好ましい。
【０００９】
本発明に係る屋根構造は、棟木と軒桁と母屋と垂木とから成る骨組みを有する屋根構造であって、前記棟木と前記軒桁と前記母屋と前記垂木のうち少なくとも１種は伸縮可能な骨材から成ることを、特徴とする。
【００１０】
本発明に係る屋根構造では、棟木と軒桁と母屋と垂木のうち少なくとも１種が伸縮可能な骨材から成るので、その骨材を伸縮させて設計図の長さで固定することにより、設計図に従い、様々な寸法、形状の屋根を造ることが可能となる。骨材の伸縮は、現場で行うことができるので、作業性が向上し、施工工期を短くすることができる。
なお、伸縮可能な骨材は、２本以上の径の異なるＣ型チャンネル部材または筒状部材を伸縮可能に組み合わせた構造から成ることが好ましい。各部材の材質は、金属製が好ましい。各部材は、ピンまたはその他の固定部材により、所望の長さで固定可能となっていることが好ましい。
【００１１】
本発明に係る屋根構造は、棟木と軒桁と母屋と垂木とから成る骨組みを有する屋根構造であって、請求項１記載の屋根用伸縮自在トラスを複数有し、前記骨組みは各屋根用伸縮自在トラスの組合せから成ることを、特徴とする。本発明に係る屋根構造は、棟木と軒桁と母屋と垂木とから成る骨組みを有する屋根構造であって、請求項１記載の屋根用伸縮自在トラスを有し、前記棟木と前記軒桁と前記母屋と前記垂木のうち少なくとも１種が、前記屋根用伸縮自在トラスの前記斜辺部材、前記長辺部材または前記短辺部材から成っていてもよい。
【００１２】
本発明に係る屋根構造では、骨組みが各屋根用伸縮自在トラスの組合せから成るため、各部材を伸縮させて設計図の長さで固定することにより、設計図に従い、様々な寸法、形状の屋根を造ることが可能となる。各部材の伸縮は、現場で行うことができるので、作業性が向上し、施工工期を短くすることができる。
【発明の効果】
【００１３】
本発明によれば、短い施工工期で、様々な寸法、形状の屋根を造ることを可能にする屋根用伸縮自在トラスおよび屋根構造を提供することができる。
【発明を実施するための最良の形態】
【００１４】
以下、図面に基づき本発明の実施の形態について説明する。
図１乃至図４は、本発明の実施の形態の屋根用伸縮自在トラスおよび屋根構造を示している。
図１（ａ）に示すように、屋根構造１は、在来軸組み工法による建築物の屋根構造１であって、棟木２と軒桁３と母屋４と垂木５とから成る骨組みを有し、屋根用伸縮自在トラス１０を有している。
【００１５】
図２に示すように、屋根用伸縮自在トラス１０は、直角三角形状の外形を成し、斜辺部材１１と長辺部材１２と短辺部材１３と中間平行部材１４と中間傾斜部材１５とを有している。斜辺部材１１、長辺部材１２および短辺部材１３は、斜辺部材１１を斜辺とし、長辺部材１２と短辺部材１３との成す角度が直角になるよう直角三角形状に組んで設けられている。斜辺部材１１は、長辺部材１２および短辺部材１３との接続部１６ａ，１６ｂで、長辺部材１２および短辺部材１３に対して回転可能に接続されている。
【００１６】
中間平行部材１４は、斜辺部材１１の中央部と長辺部材１２の中央部とに架け渡されて、短辺部材１３と平行に設けられている。中間平行部材１４は、斜辺部材１１との接続部１６ｃで、斜辺部材１１に対して回転可能に接続されている。中間傾斜部材１５は、中間平行部材１４と斜辺部材１１との接続部１６ｃと、長辺部材１２と短辺部材１３との接続部１６ｄとに架け渡されて設けられている。中間傾斜部材１５は、各接続部１６ｃ，１６ｄで、各接続部１６ｃ，１６ｄに接続している他の部材１１と１４，１２と１３に対して回転可能に接続されている。
【００１７】
図３に示すように、斜辺部材１１、長辺部材１２、短辺部材１３、中間平行部材１４および中間傾斜部材１５の各部材は、金属製で、Ｃ型チャンネル部材から成る１対の外筒２１と、角パイプから成る内筒２２とを有している。各部材１１，１２，１３，１４，１５は、内筒２２の両端をそれぞれ各外筒２１の内部に挿入して構成され、各外筒２１を内筒２２に対してスライドさせることにより、伸縮可能になっている。各部材１１，１２，１３，１４，１５は、各外筒２１の側面に設けられたルース穴２３に、内筒２２の側壁を貫通するよう固定用ネジを挿入して、所望の長さで固定可能になっている。
【００１８】
図１に示すように、屋根構造１は、複数の屋根用伸縮自在トラス１０を組み合わせて骨組みが形成されている。図１（ｂ）に示すように、屋根構造１は、小屋裏に部屋空間５０を確保するよう、屋根用伸縮自在トラス１０ａが組み合わされている。この部屋空間５０は、２つの屋根用伸縮自在トラス１０ａの各斜辺部材１１同士を隣接させて矩形状の骨組みにしたものを、複数組み合わせて形成されている。
【００１９】
また、図１（ａ）に示すように、屋根構造１は、小屋裏の部屋空間５０の両脇に、屋根下部を構成するよう複数の屋根用伸縮自在トラス１０ｂが組み合わされ、小屋裏の部屋空間５０の上に、屋根上部を構成するよう複数の屋根用伸縮自在トラス１０ｂが組み合わされている。さらに、棟木２および軒桁３に、骨材が組み合わされている。なお、各屋根用伸縮自在トラス１０は、あらかじめ各部材１１，１２，１３，１４，１５を伸縮させて設計図の長さで固定されている。
【００２０】
このように、屋根構造１は、母屋４が屋根用伸縮自在トラス１０の長辺部材１２から成り、垂木５が屋根用伸縮自在トラス１０の斜辺部材１１から成っている。なお、屋根構造１は、屋根用伸縮自在トラス１０同士の接合部に、ゴムパッキンが挟まれている。
【００２１】
次に、作用について説明する。
屋根構造１は、屋根用伸縮自在トラス１０の斜辺部材１１、長辺部材１２、短辺部材１３、中間平行部材１４および中間傾斜部材１５が伸縮可能であるため、各部材１１，１２，１３，１４，１５の長さや斜辺部材１１の傾斜を変えて、設計図の長さで固定することにより、設計図に従い、様々な寸法、形状の屋根を造ることが可能となる。各部材１１，１２，１３，１４，１５の伸縮は、現場で行うことができるので、作業性が向上し、施工工期を短くすることができる。
【００２２】
一般的に、屋根に勾配を有する戸建住宅などの建築物では、屋根の勾配の構造が、水平や垂直方向の構造と比べて寸法精度等の点で劣るため、現場の合理化を阻害する要因となっていた。これに対し、屋根構造１は、屋根用伸縮自在トラス１０を使用するため、寸法精度等の改善を図ることができ、現場の合理化を実現することができる。
【００２３】
なお、図４に示すように、屋根用伸縮自在トラス１０の各部材１１，１２，１３，１４，１５は、径の異なるＣ型チャンネル部材から成る外筒３１と内筒３２とを伸縮可能に入れ子式に組み合わせた構造から成り、ピン３３および嵌合部材３４により、所望の長さで固定可能となっていてもよい。このとき、ピン３３は組み合わされた各部材１１，１２，１３，１４，１５の外筒３１と内筒３２とを貫通して固定し、嵌合部材３４は各部材１１，１２，１３，１４，１５の端部を固定するようになっている。
【図面の簡単な説明】
【００２４】
【図１】本発明の実施の形態の屋根構造の（ａ）骨組みを示す斜視図、（Ｂ）小屋裏の部屋空間の骨組みを示す斜視図である。
【図２】本発明の実施の形態の屋根用伸縮自在トラスを示す斜視図である。
【図３】図２に示す屋根用伸縮自在トラスの各部材の伸縮構造を示す斜視図である。
【図４】本発明の実施の形態の屋根用伸縮自在トラスの各部材の変形例を示す斜視図である。
【符号の説明】
【００２５】
１  屋根構造
２  棟木
３  軒桁
４  母屋
５  垂木
１０  屋根用伸縮自在トラス
１１  斜辺部材
１２  長辺部材
１３  短辺部材
１４  中間平行部材
１５  中間傾斜部材
２１  外筒
２２  内筒
５０  部屋空間
【図１】
0004694947.tif 000002
【図２】
0004694947.tif 000003
【図３】
0004694947.tif 000004
【図４】
0004694947.tif 000005